(57)【特許請求の範囲】
【請求項１】
操作体と、
該操作体を待機位置と操作位置との間で操作方向に移動可能に支持する支持体と、
前記操作体を待機位置側へ付勢する付勢手段と、
を有する操作手段を備えた遊技機において、
前記操作体は、
検出手段によって検出される被検出部と、
前記支持体と当接する当接部と、
前記付勢手段が当接する第１受け部と、を備え、
前記支持体は、
前記検出手段と、
前記当接部と当接して前記操作体の操作方向への移動を規制する規制部と、
前記付勢手段が当接する第２受け部と、を備え、
前記被検出部及び前記検出手段は前記操作体の略中央部に配置し、
前記被検出部及び前記第１受け部は前記規制部よりも前記操作体側に配置し、
前記第２受け部は前記規制部と略同一面となる位置、又は前記規制部よりも前記操作体側に配置した
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
例えば、パチンコ機等の遊技機では、遊技者の遊技への関与意識を高めて興趣を増大させるため、発射ハンドル等とは別に操作ボタン式の演出操作手段を設け、図柄変動中等の操作可能期間中に遊技者がその演出操作手段を操作することにより所定の演出を行う、いわゆるボタン操作演出の機能を搭載したものが多くなっている。
【０００３】
このようなボタン操作演出等に使用される演出操作手段は、遮光部を有するボタン式の操作体を支持枠により操作方向に移動自在に支持し、操作体を戻しバネに抗して待機位置から操作位置側へと操作したときに透過型フォトセンサ等の検出手段が遮光部を検出して操作信号を出力するように構成されている。
【０００４】
操作体は操作限界の操作位置まで移動したときに、その当接部が支持枠の規制部に当接して操作位置に規制され、また操作体が操作位置の手前側まで移動したときに、当接部よりも検出手段側に突出する遮光部が検出手段の透過光を遮光するようになっている（特許文献１）。
【先行技術文献】
【特許文献】
【０００５】
【特許文献１】特開２０１２−３４９８９号公報
【発明の概要】
【発明が解決しようとする課題】
【０００６】
この種の演出操作手段では、操作体を操作位置側へと操作して遮光部が検出手段の透過光を遮光したときに検出手段が操作体の操作を検出するため、遮光部と検出手段との間には操作体の操作量に見合う寸法だけの間隔を確保する必要がある。
【０００７】
しかし、従来の演出操作手段は、遮光部が操作体の当接部よりも検出手段側に突出しているため、検出手段を規制部に対して操作体と反対側に離して配置する必要がある。その結果、操作体の操作部側から検出手段が装着された基板までの操作方向の寸法が大となり、操作体の移動量を十分に確保すれば、演出操作手段の全体が非常に大型化して配置箇所が制約される等の問題があり、また演出操作手段を小型化すれば、操作体の移動量を十分に確保し得なくなり、誤接触による操作体の僅かな移動で検出手段が誤動作する等の問題がある。
【０００８】
本発明は、このような従来の課題に鑑み、操作方向の寸法を小さくできる操作手段を備えた遊技機を提供することを目的とする。
【課題を解決するための手段】
【０００９】
本発明は、操作体と、該操作体を待機位置と操作位置との間で操作方向に移動可能に支持する支持体と、前記操作体を待機位置側へ付勢する付勢手段と、を有する操作手段を備えた遊技機において、前記操作体は、検出手段によって検出される被検出部と、前記支持体と当接する当接部と、前記付勢手段が当接する第１受け部と、を備え、前記支持体は、前記検出手段と、前記当接部と当接して前記操作体の操作方向への移動を規制する規制部と、前記付勢手段が当接する第２受け部と、を備え、前記被検出部及び前記検出手段は前記操作体の略中央部に配置し、前記被検出部及び前記第１受け部は前記規制部よりも前記操作体側に配置し、前記第２受け部は前記規制部と略同一面となる位置、又は前記規制部よりも前記操作体側に配置したものである。
【発明の効果】
【００１２】
本発明によれば、操作手段の操作方向の寸法を小さくできる利点がある。
【図面の簡単な説明】
【００１３】
【図１】本発明の第１の実施形態を示すパチンコ機の全体正面図である。
【図２】同前面板側の平面図である。
【図３】同第１演出操作手段の側面断面図である。
【図４】同第１演出操作手段の正面断面図である。
【図５】同第１演出操作手段の平面断面図である。
【図６】同第１演出操作手段の操作体、支持部材等の斜視図である。
【図７】同第１演出操作手段の分解斜視図である。
【図８】同演出表示の説明図である。
【図９】本発明の第２の実施形態を示す第１演出操作手段の側面断面図である。
【図１０】同第１演出操作手段の正面断面図である。
【図１１】同第１演出操作手段の平面断面図である。
【図１２】本発明の第３の実施形態を示す第１演出操作手段の正面断面図である。
【図１３】同第１演出操作手段の平面断面図である。
【図１４】本発明の第４の実施形態を示すパチンコ機の全体正面図である。
【図１５】同第２演出操作手段の側面断面図である。
【図１６】同第２演出操作手段の正面断面図である。
【図１７】同第２演出操作手段の平面断面図である。
【図１８】本発明の第５の実施形態を示す第２演出操作手段の側面断面図である。
【図１９】同第２演出操作手段の要部の一部破断斜視図である。
【図２０】本発明の第６の実施形態を示す操作手段である。
【発明を実施するための形態】
【００１４】
以下、本発明の各実施形態を図面に基づいて詳述する。
【００１５】
図１〜図８は本発明をパチンコ機に採用した第１の実施形態を例示する。パチンコ機１は図１に示すように矩形状の外枠２と、この外枠２の前側に配置され且つ左右一側のヒンジ３により開閉自在に枢着された前枠４とを備えている。前枠４の前側には、ガラス扉５と前面板６とが上下に配置され、ヒンジ３と同じ側のヒンジ７により前枠４に開閉自在に枢支されている。
【００１６】
前面板６の前側には、図２にも示すように、払い出し手段（図示省略）から払い出された遊技球を貯留して発射手段（図示省略）に供給する供給皿８と、この供給皿８の遊技球が満杯のときに余剰球を受ける余剰受け皿９とが上下に配置され、発射手段を作動させるための発射ハンドル１０が余剰受け皿９の側方に配置されている。
【００１７】
供給皿８はこれを前側から覆う供給皿カバー１１を有し、この供給皿カバー１１の前縁側に第１演出操作手段（第１操作手段）１２と第２演出操作手段（第２操作手段）１３とが装着されている。第１演出操作手段１２は供給皿カバー１１の前縁部の左右一端側に上向きに配置され、第２演出操作手段１３は供給皿カバー１１の前縁部の左右中央側に前上向きに配置されている。
【００１８】
前枠４には、ガラス扉５の後側に対応して遊技盤１７が着脱自在に装着されている。遊技盤１７の前面側には、発射手段から発射された遊技球を遊技領域１９へと案内するガイドレール１８が環状に装着され、また遊技領域１９にセンターケース２０、普通図柄始動手段２１、特別図柄始動手段２２、大入賞手段２３、普通入賞手段２４等の各種の遊技部品が配置されている。
【００１９】
センターケース２０は遊技領域１９の上部に配置されている。センターケース２０には表示窓２０ａに対応して液晶式等の画像表示手段２８が配置され、また表示窓２０ａの外周側の前面に普通図柄表示手段２９、特別図柄表示手段３０、普通保留個数表示手段３１、可動体３２等が設けられている。画像表示手段２８は演出図柄表示手段３３、特別保留個数表示手段３４、予告演出画像表示手段３５、報知画像表示手段３６等を構成している。
【００２０】
普通図柄始動手段２１は遊技球の検出を条件に普通図柄表示手段２９の普通図柄の変動を開始させるためのもので、遊技球が通過可能な通過ゲート等により構成され、ガイドレール１８とセンターケース２０との間に配置されている。
【００２１】
特別図柄始動手段２２は遊技球の検出を条件に特別図柄表示手段３０の特別図柄の変動を開始させるためのもので、非開閉型の上特別始動口２２ａと開閉型の下特別始動口２２ｂとを備え、センターケース２０の下側に配置されている。
【００２２】
下特別始動口２２ｂは左右一対の開閉部材等の開閉手段２２ｃを備え、普通図柄表示手段２９の変動後の普通図柄が特定態様となって特定利益状態が発生したときに、開閉手段２２ｃが所定時間及び／又は所定回数だけ開閉するように構成されている。
【００２３】
大入賞手段２３は大入賞口２３ａを開閉するための開閉板２３ｂを備えた開閉式であって、特別図柄始動手段２２の下側に配置されており、特別図柄表示手段３０の変動後の特別図柄が特別態様となって特別利益状態が発生したときに、開閉板２３ｂが所定の開放パターンに従って前側に開放して、上方から落下した遊技球を開閉板２３ｂを経て大入賞口２３ａへと入賞させるようになっている。
【００２４】
普通図柄表示手段２９は普通図柄を変動表示するためのもので、例えば「○」「×」の２種類の普通図柄に対応する２個の発光体（例えばＬＥＤ）により構成されており、普通図柄始動手段２１が遊技球を検出することを条件に各発光体が所定時間交互に点滅して、普通図柄始動手段２１の遊技球の検出時に取得された特定遊技判定乱数値が予め定められた特定遊技判定値と一致する場合には「○」側の発光体が発光する特定態様を停止表示し、それ以外の場合には「×」側の発光体が発光する非特定態様を停止表示するようになっている。
【００２５】
特別図柄表示手段３０は１個又は複数個、例えば１個の特別図柄を変動表示可能な７セグメント式等の表示手段により構成されており、特別図柄始動手段２２が遊技球を検出すること、即ち上下２つの特別始動口２２ａ，２２ｂの何れかに遊技球が入賞することを条件に特別図柄が所定時間変動して、特別始動口２２ａ，２２ｂへの入賞時に取得された特別遊技判定乱数値が予め定められた特別遊技判定値と一致する場合には所定の特別態様を停止表示し、それ以外の場合には非特別態様を停止表示するようになっている。
【００２６】
なお、特別図柄には特別態様及び非特別態様が夫々１又は複数種類ずつ設けられている。また各態様には０〜９までの何れかの数字図柄等を割り当ててもよいし、遊技者がその特別図柄の種類を容易に区別できないように、任意の線や点の組み合わせのようなそれ自体としては特別な意味を持たない図柄を割り当ててもよい。
【００２７】
普通保留個数表示手段３１は特定遊技判定乱数値の記憶個数を表示するためのもので、普通図柄表示手段２９の下側に配置されている。そして、この普通保留個数表示手段３１は普通図柄表示手段２９の変動表示中又は特定利益状態中に普通図柄始動手段２１が遊技球を検出したときに、その検出時に取得した特定遊技判定乱数値が所定個数（例えば４個）を限度として記憶されるため、それと同数の発光体の発光により特定遊技判定乱数値の記憶個数を表示して遊技者に報知するようになっている。
【００２８】
演出図柄表示手段３３は特別図柄表示手段３０による特別図柄の変動表示と並行して変動する演出図柄３３ａ〜３３ｃ等を表示するためのもので、各種の背景画像と共に１個又は複数個、例えば左右方向に３個の演出図柄３３ａ〜３３ｃを変動表示可能であり、特別図柄始動手段２２の特別始動口２２ａ，２２ｂの何れかに遊技球が入賞することを条件に、特別図柄の変動開始と同期して所定の変動パターンに従って演出図柄３３ａ〜３３ｃの変動を開始し、特別図柄の変動停止と同時に最終停止するように各演出図柄３３ａ〜３３ｃを左、右、中等の所定の順序で停止させるようになっている。
【００２９】
なお、演出図柄３３ａ〜３３ｃには「０」〜「９」の１０種類の数字図柄が用いられており、演出図柄３３ａ〜３３ｃの変動後の演出態様には、「６・６・６」「７・７・７」等のように各演出図柄３３ａ〜３３ｃが全て同じに揃う特別演出態様と、少なくとも１つの演出図柄３３ａ〜３３ｃが異なる非特別演出態様とがある。また、特別演出態様は特別図柄表示手段３０の変動後の特別態様に、非特別演出態様は特別図柄表示手段３０の変動後の非特別態様に夫々対応する。演出図柄表示手段３３は特別図柄の変動内容とは直接関係のない演出を行う場合があってもよい。
【００３０】
特別保留個数表示手段３４は特別遊技判定乱数値の記憶個数を表示するためのもので、演出図柄表示手段３３の側方に上下方向に配置されている。そして、この特別保留個数表示手段３４は、特別図柄の変動表示中又は特別利益状態中に特別始動口２２ａ，２２ｂに遊技球が入賞したときに、その入賞時に取得した特別遊技判定乱数値が所定数（例えば各４個）を限度として記憶されるため、それと同数の発光部の発光によりその記憶個数（以下、特別保留個数という）を表示して遊技者に報知するようになっている。
【００３１】
予告演出画像表示手段３５は演出図柄表示手段３３の演出図柄３３ａ〜３３ｃの変動中に所定の予告演出表示を行うもので、演出図柄表示手段３３の下側等の所定位置に設けられており、所定の予告演出が選択された場合に、その予告演出に対応する演出画像を表示するように構成されている。
【００３２】
そして、この予告演出画像表示手段３５は、例えば複数種類の予告演出の内の第１ボタン操作演出が選択された場合には、その第１ボタン操作演出中の操作可能期間内に遊技者が第１演出操作手段１２を所定回数操作することにより、その第１演出操作手段１２に対応する予告演出画像を表示するように構成されている。
【００３３】
報知画像表示手段３６は第１ボタン操作演出及び第２ボタン操作演出における操作可能期間中に遊技者にボタン操作を促す報知を行うもので、演出図柄表示手段３３の下側等の所定位置に設けられている。そして、この報知画像表示手段３６は、第１ボタン操作演出の操作可能期間中には、例えば「チャンスボタンを連打しろ！」等の文言と押しボタンが押されるアニメーション画像とからなる第１操作誘導画像を、第２ボタン操作演出の操作可能期間中には、例えば「パトランプボタンを押せ！」等の文言とドーム型の押しボタンが押されるアニメーション画像とからなる第２操作誘導画像を夫々表示するように構成されている。
【００３４】
第１ボタン操作演出に使用する第１演出操作手段１２は、左右方向に長い楕円形状の操作体４０を有する押しボタン式であり、複数種類の予告演出の内、その第１ボタン操作演出中の操作可能期間内に第１演出操作手段１２を所定回数有効に操作したときに、予告演出画像表示手段３５に所定の予告演出画像を表示する第１予告演出処理が実行されるようになっている。
【００３５】
第１演出操作手段１２は、図３〜図７に示すように、遮光部（被検出部）４１及び当接部４２を有する操作体４０と、供給皿カバー１１に着脱自在に固定され且つ操作体４０を待機位置Ａ（図３の実線位置）と下降限界の操作位置Ｂ（図３の二点鎖線位置）との間で上下方向（操作方向）に移動可能に支持する支持枠（支持体）４３と、操作体４０と支持枠４３の中間の支持壁部４４との間に介在され且つ操作体４０を待機位置Ａ側に付勢する戻しバネ（付勢手段）４５と、支持壁部４４の下側に装着された基板４６と、遮光部４１と相対向して基板４６に装着され且つ操作体４０を操作位置Ｂ側に操作したときに遮光部４１を検出して操作信号を出力する検出手段４７と、この検出手段４７の両側で基板４６に装着され且つ検出手段４７が遮光部４１を検出中のときに発光して操作体４０の操作部５３を発光させる発光体（例えばＬＥＤ）３９とを備え、操作体４０が前斜め上向きに若干突出した状態で供給皿カバー１１上に配置されている。
【００３６】
支持枠４３は遮光性を有する合成樹脂製であって、操作体４０を囲繞する楕円筒状の周壁部４８と、この周壁部４８の上端縁から外向きに張り出す鍔部４９と、周壁部４８の上下方向の中間に形成された支持壁部４４とを一体に備え、周壁部４８の下端に裏カバー５０が着脱自在に装着されている。この支持枠４３は周壁部４８が供給皿カバー１１の開口部５１に上側から挿脱自在に挿入され、供給皿カバー１１の開口部５１の外周に当接する鍔部４９と、周壁部４８に形成され且つ供給皿カバー１１の開口部５１の外周に下側から係合する周方向に複数個の係合爪５２とにより、供給皿カバー１１に着脱自在に装着されている。
【００３７】
操作体４０は光透過性を有する合成樹脂製であって、その内部に組み込まれた支持部材５５を介して支持枠４３に待機位置Ａと操作位置Ｂとの間で移動自在に支持されている。支持部材５５は遮光性を有する合成樹脂製である。なお、操作体４０は支持部材５５を一体化したものでもよい。
【００３８】
操作体４０は楕円状に形成された上端側の操作部５３と、この操作部５３の外周縁側から周壁部４８の内面に沿って操作方向に下向きに突設され且つ下端が当接部４２となった周壁部５４とを一体に備え、支持部材５５を介して支持枠４３の周壁部４８内の支持壁部４４上に上下方向に移動可能に配置されている。
【００３９】
支持部材５５は操作体４０の周壁部５４内に嵌合する上端側の上壁部５６と、この上壁部５６の外縁から周壁部４８に沿って操作方向の下方に突設された複数の突起部５７とを一体に備え、その上壁部５６の外周の複数の係合爪５８が操作体４０の周壁部５４に形成された複数の係合部５９に係合することにより操作体４０内に着脱自在に固定されている。
【００４０】
操作体４０の操作部５３と支持部材５５の上壁部５６との間には、光透過性又は半透過性を有する装飾シート６０と、この装飾シート６０の下側で光を乱反射させる乱反射板６１とが上下に介在され、支持部材５５の上壁部５６により下側から保持されている。上壁部５６には下向きに突出する遮光部（被検出部）４１が略中央に設けられ、その左右両側に光透過孔６２が形成されている。
【００４１】
遮光部４１は基部４１ａが支持部材５５の上壁部５６の下側に接着等により固定されている。この遮光部４１はその下端が操作体４０の周壁部５４の下端の当接部４２よりも上側にあり、全体が操作体４０の範囲内に収まるようになっている。遮光部４１は支持部材５５に一体に形成してもよい。
【００４２】
光透過孔６２は発光体３９が点灯したときの光を乱反射板６１側に透過するためのもので、乱反射板６１での光の乱反射を介して操作部５３の略全体を発光させるように上広がりのテーパー状に形成されている。乱反射板６１は上下両面に波状の乱反射面が形成されているが、その他の構造で乱反射するようにしてもよい。
【００４３】
突起部５７は上壁部５６の左右両端側から下方に突出して弾性変形可能に構成され、支持壁部４４に形成された通孔状の案内部６３に上下摺動自在に挿通されており、その下端の爪状の抜け決め部６４が支持壁部４４の裏側に係合して操作体４０の上昇を操作位置Ｂに規制するようになっている。
【００４４】
上壁部５６には遮光部４１の両側に別の一対の突起部６５が突起部５７と略平行に下向きに突設され、この突起部６５は支持壁部４４の通孔状の案内部６６に相対的に上下動自在に挿通されている。
【００４５】
なお、突起部５７、案内部６３、抜け決め部６４、突起部６５、案内部６６等により、操作体４０を待機位置Ａと操作位置Ｂとの間で上下動自在に案内する案内手段３７が構成されている。
【００４６】
支持壁部４４には操作体４０の周壁部５４に対応する規制部６８が周方向に溝状に形成され、また規制部６８の内側に上側へと台形状に突出する台部６９が形成されている。規制部６８は操作体４０を操作位置Ｂまで操作したときに当接部４２が当接して操作体４０の移動を下降限界の操作位置Ｂで規制するためのものである。
【００４７】
台部６９は上下の遮光部４１及び検出手段４７に対応する開口部７０と、発光体３９に対応する開口部７１とが形成され、また台部６９の下面側の凹部７２には基板４６が配置されてネジ等の固定具で着脱自在に固定されている。
【００４８】
検出手段４７は透過型フォトセンサ等により構成されており、上向きに開放するコ字状の本体部７３と、この本体部７３に相対向して設けられた発光部７３ａ及び受光部７３ｂとを有し、操作体４０を押圧操作して遮光部４１が発光部７３ａと受光部７３ｂとの間に進入して両者間を遮光したときに、受光部７３ｂが操作体４０の操作を検出するように開口部７０内に配置されている。
【００４９】
この検出手段４７は主要部が規制部６８よりも操作体４０内に突出するように設けられており、操作体４０が操作位置Ｂに達する前に遮光部４１が発光部７３ａ及び受光部７３ｂ間に進入して遮光するようになっている。発光体３９は開口部７１内に配置されている。
【００５０】
戻しバネ４５はコイルバネにより構成され、支持部材５５側のバネ受け部（第１受け部）７４と、支持壁部４４のバネ受け部（第２受け部）７５との間に介在されている。バネ受け部７４は遮光部４１の基部４１ａの外周に溝状に形成され、そのバネ受け部７４の内周に遮光部４１の基部４１ａの規制壁７６が設けられている。バネ受け部７５は開口部７０の外側で台部６９に溝状に形成されている。
【００５１】
開口部７０の外周には、台部６９から上側に突出する遮光壁７７が周方向に設けられ、この遮光壁７７により、発光体３９が発光したときの光が検出手段４７の受光部７３ｂに外乱として入らないように遮光するように構成されている。なお、遮光壁７７は検出手段４７の上端と同程度の高さか又は若干低い程度の高さとなっている。
【００５２】
裏カバー５０は支持枠４３の下端側に係合爪等を介して着脱自在に係合されている。なお、支持枠４３は周壁部５４の中間に支持壁部４４があり、その支持壁部４４の下側の凹部７２内に基板４６が配置されているので、裏カバー５０は省略してもよい。
【００５３】
第２演出操作手段１３はドーム型の操作体８０を有する押しボタン式であって、複数種類の予告演出の内の第２ボタン操作演出中における操作可能期間内に、この操作体８０を１回操作することを条件に、操作体８０の内側の回転灯（図示省略）を作動させる第２予告演出処理が実行されるようになっている。
【００５４】
このパチンコ機において、特別図柄等の変動中に実行されるボタン操作演出には、第１ボタン操作演出と第２ボタン操作演出との二種類があり、演出図柄３３ａ〜３３ｃの変動中の予告演出抽選処理で何れに当選するかによって各ボタン操作演出が行われる。第１ボタン操作演出では、第１演出操作手段１２の操作により予告演出画像表示手段３５が所定の予告演出画像を表示し、第２ボタン操作演出では、第２演出操作手段１３の操作により回転灯が作動する。
【００５５】
第１ボタン操作演出に当選した場合には、演出図柄３３ａ〜３３ｃの変動開始と同時又はその後の所定のタイミングで第１ボタン操作演出の操作可能期間となり、予告演出画像表示手段３５にボタン未操作時画像、例えば回転する的とそれに狙いを定めた弓矢の画像が表示される（図８（ａ））と共に、報知画像表示手段３６に「チャンスボタンを連打しろ！」等の文言と楕円形の押しボタンが押されるアニメーション画像とによる第１操作誘導画像が表示される（図８（ｂ））。
【００５６】
そして、第１操作可能期間中に遊技者が第１演出操作手段１２を操作すると、検出手段４７がその操作を検出して操作信号を出力する。この第１操作可能期間中の第１演出操作手段１２の操作回数が所定回数になれば、予告演出画像表示手段３５にボタン操作時画像、例えば図８（ｃ）に示すように射られた矢が回転中の的に命中し、その後に的が停止してその命中した箇所（例えば特別遊技信頼度を示す数字）が視認可能となる画像が表示される。
【００５７】
第１演出操作手段１２は第１ボタン操作演出の際に使用する。通常、操作体４０は戻しバネ４５の付勢により待機位置Ａにあり、遮光部４１が検出手段４７から離れている。このため検出手段４７は非検出状態にある。
【００５８】
そこで、遊技者が操作体４０を戻しバネ４５に抗して下方へと押圧すると、操作体４０が支持枠４３内で下方へと下降し、下降限界の操作位置Ｂまで達したときに当接部４２が規制部６８に当接して停止する。一方、操作体４０の下降に伴って遮光部４１が下降して、操作体４０が操作位置Ｂに達する手前側で検出手段４７の発光部７３ａと受光部７３ｂとの間に進入して、発光部７３ａから受光部７３ｂへの光を遮光するため、検出手段４７が操作体４０の操作を検出してその操作信号を出力する。そして、検出手段４７が操作体４０の操作を検出すると、発光体３９が発光して乱反射板６１、光透過孔６２等を介して操作体４０の操作部５３に光を照射するため、乱反射板６１での光の乱反射により操作部５３の略全面が発光する。
【００５９】
操作体４０の操作力を解除すれば、戻しバネ４５により操作体４０が上昇し待機位置Ａへと戻る。そして、操作体４０の上昇と一体に遮光部４１が上昇して、検出手段４７の発光部７３ａと受光部７３ｂとの間から外れたときに、受光部７３ｂが発光部７３ａからの光を受光して待機状態に戻る。
【００６０】
この第１演出操作手段１２では、次のような利点がある。即ち、操作体４０側の遮光部４１を当接部４２に対して規制部６８と反対側に配置してその長さを短くすると共に、検出手段４７を支持枠４３の規制部６８よりも操作体４０側に突出させて配置することにより、操作体４０の操作部５３から基板４６までの操作方向の寸法を極力抑えることができる。このため操作体４０を操作したときに遮光部４１及び検出手段４７の殆どが操作体４０内に収まることとなる等、第１演出操作手段１２全体の操作方向の寸法を小型化することができる。
【００６１】
また第１演出操作手段１２の操作方向の寸法を抑えながらも、操作体４０の操作方向の移動量を十分に確保することが可能であり、操作体４０の振動等による検出手段４７の誤動作を防止することができる。
【００６２】
しかも操作体４０の操作方向の移動量を確保しながらも、操作体４０の周壁部５４の操作方向の長さを長くすることができ、操作体４０を操作したときの支持枠４３内での操作体４０の傾き等を少なくして、操作体４０の動きをスムーズにすることができる。
【００６３】
更に検出手段４７の主要部が規制部６８よりも操作体４０側に突出しているが、支持壁部４４には検出手段４７を取り囲む遮光部７７があるため、発光体３９が発光しても、その発光体３９からの光を遮光部７７で遮光することができ、発光体３９からの光が検出手段４７にノイズとなって入るような問題もない。
【００６４】
図９〜図１１は本発明の第２の実施形態を例示する。この実施形態の第１演出操作手段１２では、支持壁部４４は平坦状であり、この支持壁部４４の上面に、検出手段４７と発光体３９とを有する基板４６が装着されている。
【００６５】
支持部材５５にはその上壁部５６の略中央に下向きに配置された遮光部４１と、この遮光部４１の外周に略同心状に配置された円筒状のバネ受け部７４とが一体に形成されている。戻しバネ４５の一端側はバネ受け部７４の外周に嵌着され、他端側は検出手段４７の外周側で基板４６から上側に突出するバネ受け部７５に当接されている。バネ受け部７５は支持壁部４４と一体であって、検出手段４７の外周の略同心円上に周方向に複数個あり、基板４６に形成された開口部８３を貫通して上側に突設されており、基板４６よりも上側で戻しバネ４５を受けるようになっている。その他の構成は第１の実施形態と同様である。
【００６６】
このように支持壁部４４が平坦状の場合には、検出手段４７、発光体３９を有する基板４６をその支持壁部４４の上側に装着してもよい。この場合には、基板４６、検出手段４７の全体が規制部６８よりも上側の操作体４０側に配置されており、検出手段４７の一部が操作体４０の周壁部５４の下端の当接部４２よりも上側に入っている。そのため基板４６から上側の寸法を更に小型化することができる。
【００６７】
また基板４６を支持壁部４４の上側に配置する場合には、戻しバネ４５を基板４６に当接させてもよいが、基板４６の開口部８３を貫通して上側に突出するバネ受け部７５を周方向に複数個設け、このバネ受け部７５で戻しバネ４５を支持することにより、基板４６側の回路パターン等の損傷を防止することができる。従って、基板４６が支持壁部４４よりも上側にあるにも拘わらず、検出手段４７に対して戻しバネ４５を略同心状に配置することができる。
【００６８】
なお、検出手段４７の主要部が規制部６８よりも操作体４０側となる場合には、支持壁部４４の上面に規制部６８よりも低い凹部を設けて、その凹部内に基板４６を配置してもよい。またバネ受け部７５の上端側の形状は、戻しバネ４５を下側から支持できる構造であればよい。
【００６９】
図１２、図１３は本発明の第３の実施形態を例示する。この実施形態では、比較的幅の狭い帯板状の基板４６が使用され、また戻しバネ４５には基板４６の幅よりも大径のコイルバネが使用されている。
【００７０】
支持壁部４４上には、基板４６の幅方向の両側で検出手段４７の周辺部分に周方向に複数個のバネ受け部７５が配置され、このバネ受け部７５により基板４６よりも上側で戻しバネ４５を下側から支持するようになっている。バネ受け部７５は基板４６の幅方向の両側近傍に、基板４６の長手方向に所定の間隔をおいて２個配置され、基板４６よりも上側に突出している。他の構成は各実施形態と同様である。
【００７１】
このように戻しバネ４５に大径のコイルバネを使用した場合には、操作体４０を操作した際の支持枠４３内での操作体４０の倒れを防止でき、操作部５３の押圧箇所の如何に拘わらず円滑に操作体４０を操作方向に移動させることができる。
【００７２】
また戻しバネ４５を大径にして、基板４６にその戻しバネ４５の直径よりも板幅の狭い帯板状にする場合には、その基板４６の幅方向の両側にバネ受け部７５を配置することができる。そのため基板４６よりも上側で戻しバネ４５を支持するにも拘わらず、基板４６にバネ受け部７５の開口部等を設ける必要がなく、基板４６の製作コストを安価にすることができる。
【００７３】
なお、バネ受け部７５で基板４６を位置決めすると共に、このバネ受け部７５に係合爪を設けて基板４６を支持壁部４４上で係止するようにしてもよい。
【００７４】
図１４〜図１７は本発明の第４の実施形態を例示する。この実施形態では、図１４に示すように第２演出操作手段１３にも、第１の実施形態の第１演出操作手段１２と同様に横長楕円形状の押しボタン式が採用されている。なお、第１演出操作手段１２の構成部分と同一の名称部分については同一符号を付して、その説明を簡略化する。
【００７５】
この第２演出操作手段１３は、図１５〜図１７に示すように、遮光部４１及び当接部４２を有する操作体４０と、操作体４０を待機位置Ａと操作位置Ｂとの間で移動可能に支持する支持枠４３と、操作体４０と支持枠４３の支持壁部４４との間に介在された戻しバネ４５と、検出手段４７及び発光体３９を有し且つ支持枠４３の下端側の支持壁部４４上に配置された基板４６と、操作体４０を操作位置Ｂ側に操作したときに遮光部４１を検出する検出手段４７とを備え、操作体４０が前斜め上向きに若干傾斜した状態で供給皿カバー１１上に配置されている。
【００７６】
操作体４０は操作部５３と周壁部５４とを一体に有し、周壁部５４が支持枠４３の周壁部４８により上下方向に摺動自在に案内されている。操作体４０内には支持部材５５が係合爪５８を介して着脱自在に固定されている。操作体４０の操作部５３と支持部材５５との間には装飾シート６０と乱反射板６１とが介装され、乱反射板６１が支持部材５５の周壁部５４の上端により支持されている。
【００７７】
支持部材５５は操作体４０の周壁部５４内に配置された周壁部８４と、この周壁部８４の下端外周に形成された鍔状の当接部４２と、周壁部８４の上下方向の中間に形成された上壁部５６とを一体に有する。当接部４２は操作体４０が待機位置Ａにあるときには支持枠４３の規制部８５に、操作体４０が下降限界の操作位置Ｂにあるときには支持枠４３の下端の支持壁部４４の規制部６８に夫々当接可能である。周壁部８４はその上側の乱反射板６１に当接して、操作体４０の操作部５３との間で装飾シート６０、乱反射板６１を支持するようになっている。
【００７８】
支持枠４３は操作体４０の周壁部５４を操作方向に摺動自在に案内する周壁部４８と、この周壁部４８の上端外周に形成された鍔部４９とを有し、供給皿カバー１１の開口部５１に適宜手段を介して装着されている。支持壁部４４は支持枠４３の周壁部４８の下端にネジ等により着脱自在に固定されている。
【００７９】
検出手段４７と戻しバネ４５は左右方向の略中央に前後に近接して配置され、その左右両側に発光体３９が配置されている。戻しバネ４５はコイル状であって、支持部材５５の上壁部５６側のバネ受け部７４と支持壁部４４上のバネ受け部７５との間に介在されている。なお、戻しバネ４５は操作体４０を略均等に押し上げるように大径のコイルバネが使用されている。また、操作体４０が特定位置を支点として上下動する場合には、戻しバネ４５はその支点から離れた位置に設ければよい。
【００８０】
検出手段４７は戻しバネ４５の手前側で、発光体３９は戻しバネ４５の左右両側で夫々基板４６上に装着されている。基板４６にはバネ受け部７５が収まる開口部８６又は切り欠き部が形成されている。基板４６は支持壁部４４上にネジ等の固定手段により固定されている。
【００８１】
検出手段４７は各実施形態と同様に構成されており、待機位置Ａに位置する操作体４０側の当接部４２の下端よりも上側に突出している。支持部材５５には検出手段４７に対応して開口部８７が、発光体３９に対応して光透過孔６２が上壁部５６に夫々形成されると共に、その検出手段４７に対応する開口部８７側の隔壁８８に遮光部４１が設けられている。遮光部４１は支持部材５５の周壁部８４内の手前側に配置された中間壁８９に一体に設けられ、操作体４０側の当接部４２よりも上側に位置している。
【００８２】
このような構成の場合にも、操作体４０の操作部５３から基板４６までの寸法を小さくすることが可能であり、第１の実施形態と同様の利点がある。また検出手段４７が支持部材５５を含む操作体４０内へと大きく突出する場合には、支持部材５５の上壁部５６に開口部８７を形成し、この開口部８７よりも上側に遮光部４１を設けることも可能であり、これによって操作体４０の操作部５３から基板４６までの寸法を更に小さくすることもできる。
【００８３】
なお、この実施形態では、支持部材５５の外周に当接部４２を設けているが、操作体４０の周壁部５４の下端外周に鍔状に当接部４２を設けてもよい。
【００８４】
図１８、図１９は本発明の第５の実施形態を例示する。この実施形態では、図１のドーム型の操作体８０を有する押しボタン式の第２演出操作手段１３に採用した場合を例示する。なお、第１演出操作手段１２の構成部分と同一の名称部分については同一符号を付して、その説明を簡略化する。
【００８５】
この第２演出操作手段１３は、図１８、図１９に示すように、回転灯９０と、この回転灯９０を覆う発光カバーを兼ねるドーム型の操作体８０と、供給皿カバー１１に固定され且つ操作体８０を待機位置Ａと操作位置Ｂとの間で回転灯９０の軸心方向に移動可能に支持する支持枠４３と、操作体８０を待機位置Ａ側に付勢する戻しバネ４５と、操作体８０に設けられた遮光部４１と、遮光部４１を介して操作体８０の操作を検出する検出手段４７と、操作体８０の外周に套嵌され且つ上端外周が供給皿カバー１１に嵌合する反射カバー９２とを備え、操作体８０を前斜め上向きに突出させた状態で供給皿カバー１１内に配置されている。
【００８６】
回転灯９０は、回転軸９１を取り囲むように固定的に配置され且つその上側に複数のＬＥＤ等の発光体９３が配置された発光基板９４と、この発光基板９４の上側に略平行に配置され且つ回転軸９１を介して回転可能に支持された回転レンズ９５と、この回転レンズ９５の上側の外周部近傍に固定され且つ発光体９３から発せられて回転レンズ９５を軸方向に透過した光を径方向外側に向けて反射する反射板９６と、回転レンズ９５及び反射板９６を回転軸９１、ギヤ９７等を介して回転駆動するステッピングモータ等の駆動手段９８と、それら発光基板９４、回転レンズ９５、駆動手段９８等を支持する支持ケース９９等を備え、この支持ケース９９が支持枠４３を介して供給皿カバー１１に固定されている。
【００８７】
回転レンズ９５は透明な合成樹脂製で、上側に突出する凸レンズ部９５ａが回転軸９１の周方向に連続するリング状に形成されており、発光基板９４上にはその凸レンズ部９５ａの裏側に対応するように発光体９３が周方向に略等ピッチで配置されている。反射板９６は基部側が凸レンズ部９５ａの外周側に配置されており、この反射板９６に対応する凸レンズ部９５ａで集光された光を径方向の外側へと反射する凹面状の反射面９６ａを有する。
【００８８】
操作体８０は赤色等に着色された着色透明の合成樹脂製で、回転灯９０の回転レンズ９５及び反射板９６を覆う略半球状のドーム型に形成され、その上端側の一部が突出するように反射カバー９２内に嵌合されている。この操作体８０は、回転レンズ９５の外周側に配置されたリング状の支持部材５５と、この支持部材５５の下側に固定され且つ支持枠４３の支持壁部４４に摺動自在に挿通された複数の摺動案内軸１００とを介して支持枠４３に回転軸９１の軸心方向に移動自在に保持され、戻しバネ４５によって待機位置Ａ側へと上向きに付勢されている。なお、支持枠４３と摺動案内軸１００とにより案内手段３７が構成されている。
【００８９】
操作体８０は待機位置Ａではその下端外周の鍔部状の当接部１０１が反射カバー９２の下端の規制部８５に、また操作位置Ｂでは支持部材５５の下端の当接部４２が支持枠４３の支持壁部４４上の規制部６８に夫々当接するようになっている。
【００９０】
検出手段４７は光透過型であって、支持部材５５の遮光部４１と対応して支持枠４３の支持壁部４４上に装着されている。支持部材５５には検出手段４７に対応して周壁部５４の一部に切り欠き部１０３が形成され、その切り欠き部１０３の上側の周壁部５４が遮光部４１となっている。検出手段４７は基板４６に装着され、その基板４６は支持枠４３の支持壁部４４上に固定されている。従って、遮光部４１は支持部材５５の周壁部５４の下端の当接部４２よりも上側に配置され、また検出手段４７は支持壁部４４上の規制部６８よりも上側に配置されている。他の構成は各実施形態と同様である。
【００９１】
このようにドーム型の操作体８０を支持部材５５等を介して支持枠４３により待機位置Ａと操作位置Ｂとの間で上下動自在に構成した第２演出操作手段１３において、支持部材５５の周壁部５４に遮光部４１を、支持枠４３に検出手段４７を夫々設けるに際しても、遮光部４１を支持部材５５の当接部４２よりも上側に配置し、検出手段４７は規制部６８よりも上側に配置することによって、各実施形態と同様に、それらの部分の上下方向の寸法を小型化することができる。
【００９２】
従って、本発明は遮光部４１と検出手段４７とが操作体８０の操作方向に相対移動する構成のものであれば、その操作体８０の形状、構造の如何に拘わらず同様に採用可能である。
【００９３】
図２０は本発明の第６の実施形態を例示する。この実施形態は、操作体４０の内部に７セグメント式等の表示手段１０５を備えた操作手段１０６を示す。この操作手段１０６は、支持枠４３内で支持壁部４４上に配置された表示手段１０５と、表示手段１０５を覆い且つ支持枠４３の開口部１０７内に待機位置Ａと操作位置Ｂとの間で上下動自在に配置された操作体４０と、操作体４０と支持枠４３内で支持壁部４４との間に介在され且つ操作体４０を上向きに付勢する戻しバネ４５と、操作体４０の外周に設けられた遮光部４１と、この遮光部４１に対応して支持枠４３の支持壁部４４上に装着された検出手段４７とを備えている。
【００９４】
支持枠４３はケース体１０８と、このケース体１０８の上側に装着された上蓋１０９とを備え、その上蓋１０９を介して適宜取り付け板１１０に装着されている。表示手段１０５は操作体４０を操作したときに発光して適宜情報を表示し、また操作体４０は表示手段１０５の表示情報を操作部５３を通して視認できるようになっている。
【００９５】
操作体４０は周壁部５４の上下方向の中間に段違い状に形成され且つ待機位置Ａのときに支持枠４３の規制部８５に当接する当接部１０１と、周壁部５４の下端に形成され且つ操作位置Ｂのときに支持壁部４４の上面の規制部６８に当接する当接部４２とを備えている。
【００９６】
遮光部４１は操作体４０の当接部１０１の下側で周壁部５４から外周側に突出して設けられており、その下端側は操作体４０の当接部４２よりも上に配置されている。検出手段４７は支持壁部４４の上面に基板４６を介して装着されており、規制部６８よりも上側に配置されている。他の構成は各実施形態と同様である。
【００９７】
このように操作体４０に対応して表示手段１０５等の別部材がある場合には、遮光部４１及び検出手段４７は操作体４０の外側に配置してもよい。別部材としては表示手段１０５の他に回転灯等、操作体４０内に突出するものであれば何であってもよい。またドーム型の操作体８０に適用してもよい。
【００９８】
以上、本発明の実施形態について詳述したが、本発明は各実施形態に限定されるものではなく、本発明の趣旨を逸脱しない範囲で種々の変更が可能である。例えば、検出手段４７は、透過型フォトセンサ以外の非接触式スイッチの他、接触式スイッチ等、各種の検出スイッチ類を用いることが可能である。また被検出部は検出手段４７により検出されるものであり、遮光部４１の他、検出手段４７の種類に応じて適宜変更すればよい。
【００９９】
操作手段１２，１３，１０６は操作体４０を所定の操作方向に操作する形式であればよく、例えばレバー式等の操作手段についても同様に採用可能である。また操作体４０は支持部材５５を介して支持枠４３により待機位置Ａと操作位置Ｂとの間で移動可能に支持される構成であればよく、支持部材５５の形状、構造等は支持枠４３の形状、構造との関係で適宜変更することが可能である。
【０１００】
操作体４０を待機位置Ａに付勢する付勢手段はコイルバネが一般的であるが、つるまきバネ、ゴムその他の弾性部材を使用してもよい。また実施形態では操作体４０側に、この操作体４０とは別に支持部材５５を設け、この支持部材５５に遮光部４１と当接部４２とを設けているが、この支持部材５５は省略して遮光部４１と当接部４２とを操作体４０に直接設けてもよい。
【０１０１】
また本発明は、アレンジボール機、雀球遊技機等の各種弾球遊技機の他、スロットマシン等の弾球遊技機以外の遊技機においても同様に実施することが可能である。
【符号の説明】
【０１０２】
１２  第１演出操作手段（第１操作手段）
１３  第２演出操作手段（第２操作手段）
４２  当接部
３７  案内手段
４０  操作体
４１  遮光部（被検出部）
４３  支持枠
４４  支持壁部
４７  検出手段
４８  周壁部
５４  周壁部
５５  支持部材
６８  規制部
７３  検出手段
９０  回転灯
９２  反射カバー
Ａ  待機位置
Ｂ  操作位置
【図１】
0005927144.tif 000002
【図２】
0005927144.tif 000003
【図３】
0005927144.tif 000004
【図４】
0005927144.tif 000005
【図５】
0005927144.tif 000006
【図６】
0005927144.tif 000007
【図７】
0005927144.tif 000008
【図８】
0005927144.tif 000009
【図９】
0005927144.tif 000010
【図１０】
0005927144.tif 000011
【図１１】
0005927144.tif 000012
【図１２】
0005927144.tif 000013
【図１３】
0005927144.tif 000014
【図１４】
0005927144.tif 000015
【図１５】
0005927144.tif 000016
【図１６】
0005927144.tif 000017
【図１７】
0005927144.tif 000018
【図１８】
0005927144.tif 000019
【図１９】
0005927144.tif 000020
【図２０】
0005927144.tif 000021